(57)【特許請求の範囲】
【請求項１】
機体（３）のブームブラケット（２７）に支軸（２９）を横設し、該支軸（２９）に、掘削装置（４）のブーム（２１）の基端部（２１ａ）を上下回動可能に取り付け、可撓性の油圧管（１５・・）を前記ブームブラケット（２７）の後方から前記ブーム（２１）の背面側に案内する掘削作業機（１）の油圧配管構造において、前記ブーム（２１）の基端部（２１ａ）には、左右の側板部（２１ｄ・２１ｄ）と、該ブーム（２１）側の上壁部（２１ｅ）から成る凹部（２１ｆ）を形成すると共に、該基端部（２１ａ）の下端には、前記支軸（２９）を内挿したボス部（２１ｇ）が形成されており、該ボス部（２１ｇ）を外嵌した支軸（２９）と前記凹部（２１ｆ）との間に、油圧管（１５・・）の収納空間（３６）を形成し、前記ブームブラケット（２７）の後方からの油圧管（１５・・）を、前記支軸（２９）の上側から前記収納空間（３６）を経由して、該ブーム（２１）の背面側に案内すると共に、前記油圧管（１５・・）の途中部を、前記収納空間（３６）内で反機体側に湾曲させたことを特徴とする掘削作業機の油圧配管構造。
【請求項２】
請求項１記載の掘削作業機の油圧配管構造において、前記ブームブラケット（２７）には、該ブームブラケット（２７）の後方からの前記油圧管（１５・・）を固定支持して、前記支軸（２９）の上側に案内するガイドクランプ（１９）を設け、該ガイドクランプ（１９）は、前記ブームブラケット（２７）の水平面部（２７ｄ）に立設された左右の支持コラム（１９ｆ・１９ｆ）に、ボルト（３２・３２）にて締結固定された底板部（１９ｅ）と、該底板部（１９ｅ）の左右側部から上斜め後方に立設された支持ステー部（１９ｄ・１９ｄ）と、該支持ステー部（１９ｄ・１９ｄ）の上端間に架設固定されたクランプ基板部（１９ｃ）と、該クランプ基板部（１９ｃ）の左右側部より立設されたクランプコラム部（１９ｂ・１９ｂ）と、該クランプコラム部（１９ｂ・１９ｂ）にボルト（３３・３３）にて締結固定されたクランプ上板（１９ａ）とから構成したことを特徴とする掘削作業機の油圧配管構造。
【請求項３】
請求項１又は請求項２記載の掘削作業機の油圧配管構造において、前記ブーム（２１）の基端部（２１ａ）には、前記収納空間（３６）からの前記油圧管（１５・・）を、反機体（３）側に抑えつつ前記ブーム（２１）の背面側に案内するガイドカバー（２０）を着脱可能に設け、前記ガイドカバー（２０）は、前記収納空間（３６）の機体側開放部の一部を覆うカバー部材と兼用したことを特徴とする掘削作業機の油圧配管構造。
【発明の詳細な説明】
【技術分野】
【０００１】
本発明は、機体前部に配置するブームブラケットに支軸を横架し、該支軸に、掘削装置のブームの基端部を上下回動可能に取り付け、可撓性の油圧管を前記ブームブラケットの後方から前記ブームの背面側に案内する掘削作業機の油圧配管構造に関する。
【背景技術】
【０００２】
従来より、バックホー等の掘削作業機においては、クローラ式走行装置上に機体が左右旋回可能に支持され、該機体前部に配置するブームブラケットには支軸が横架されており、該支軸には、基端部が上下回動可能に支持されたブームと、該ブームの上端に、下端が上下回動可能に支持されたアームと、該アームの上端に、下端が上下回動可能に支持されたバケットとから成る掘削装置が、装着されている。
【０００３】
該掘削装置のブーム、アーム、及びバケットには、それぞれに駆動用の油圧シリンダが装着され、該油圧シリンダに作動油を供給するために、油圧管が、機体に設けた油圧制御装置から前記ブームブラケットを経て、各油圧シリンダまで配管されている。このうちのアーム駆動用のアームシリンダは、ブームの先端寄りの背面側に配設され、バケット駆動用のバケットシリンダは、アームの背面側に配置されているため、該アームシリンダとバケットシリンダへの油圧管は、ブームブラケットの後方にある接続プラグ等の連結部から、ブームの背面側にある連結部まで案内された後、該ブーム背面側の連結部を介して前記アームシリンダとバケットシリンダの各油圧ポートに接続されている。
【０００４】
そして、このブームブラケットの後方の連結部からブームの背面側の連結部に至るまでの可撓性の油圧管（以下、「背面油圧管」とする。）は、作業中のブームの上下回動を確保すべく、大きな撓みを持たせて長さに余裕代を含むように配管されている。しかし、これは、一方で、ブーム上昇時に、前記背面油圧管を機体側に大きく湾曲させ、該湾曲部と、前記ブームの背面側に位置する機体との干渉を招き、ブームの後方回動角度を大きくとることができずに、掘削作業性を悪化させることとなる。
【０００５】
そこで、前記背面油圧管を、ブームブラケットの後方より支軸の反機体側を通過させてから、反転してブームの背面側に案内することにより、機体側に湾曲しようとする背面油圧管を前記支軸によって抑え、背面油圧管の湾曲部と機体との干渉を防止する技術が公知となっている（例えば、特許文献１、２参照）。
【特許文献１】特許第３３９６１５１号公報
【特許文献２】特許第３４５４７２５号公報
【発明の開示】
【発明が解決しようとする課題】
【０００６】
しかし、前記技術においては、背面油圧管は、ブームブラケットの後方から、ブームブラケットの両側部と底部、及び該底部に対向する前記支軸とによって囲まれた開口部（以下、「ブラケット開口部」とする。）を挿通させた後に、反転してブームの背面側に案内する必要がある。このため、掘削作業機を組立てる際、先に、背面油圧管の両端を前記両連結部に接続してしまうと、前記ブラケット開口部を挿通させることができなくなることから、組立手順が著しく制限されて組立性が悪化することとなる。たとえ、後から、背面油圧管の両端を前記両連結部に接続するにしても、背面油圧管はブームブラケットの後方からブラケット開口部を通過させた後に湾曲させながら反転させるといった煩雑な配管作業が必要となり、組立時はもとより、油圧管の交換等のメンテナンス作業時にも非常に手間がかかり、メンテナンス性の悪化も避けられない。更に、背面油圧管を無理なく挿通できるように、ブラケット開口部を大きめに設ける必要から、ブームブラケット自体の大型化が避けられず、特に、ブームやアームの側面にＰＴＯ用の油圧取出部を設けるため、該油圧取出部までの油圧管も背面油圧管として配管する場合、ブームの上下回動の自由度を高めるため、ブームブラケット内における背面油圧管の撓みを更に大きくする場合、あるいは、アームシリンダとバケットシリンダの容量を大きくして掘削作業性能を高めるため、背面油圧管の径を増加する場合には、ブラケット開口部が更に拡大してブームブラケットが大型化し、その結果、部品コストの増加、及び機体重量のバランスやブームブラケットの取付け作業性の悪化を招く、という問題があった。
【課題を解決するための手段】
【０００７】
本発明の解決しようとする課題は以上の如くであり、次にこの課題を解決するための手段を説明する。
請求項１においては、機体（３）のブームブラケット（２７）に支軸（２９）を横設し、該支軸（２９）に、掘削装置（４）のブーム（２１）の基端部（２１ａ）を上下回動可能に取り付け、可撓性の油圧管（１５・・）を前記ブームブラケット（２７）の後方から前記ブーム（２１）の背面側に案内する掘削作業機（１）の油圧配管構造において、前記ブーム（２１）の基端部（２１ａ）には、左右の側板部（２１ｄ・２１ｄ）と、該ブーム（２１）側の上壁部（２１ｅ）から成る凹部（２１ｆ）を形成すると共に、該基端部（２１ａ）の下端には、前記支軸（２９）を内挿したボス部（２１ｇ）が形成されており、該ボス部（２１ｇ）を外嵌した支軸（２９）と前記凹部（２１ｆ）との間に、油圧管（１５・・）の収納空間（３６）を形成し、前記ブームブラケット（２７）の後方からの油圧管（１５・・）を、前記支軸（２９）の上側から前記収納空間（３６）を経由して、該ブーム（２１）の背面側に案内すると共に、前記油圧管（１５・・）の途中部を、前記収納空間（３６）内で反機体側に湾曲させたものである。
請求項２においては、請求項１記載の掘削作業機の油圧配管構造において、前記ブームブラケット（２７）には、該ブームブラケット（２７）の後方からの前記油圧管（１５・・）を固定支持して、前記支軸（２９）の上側に案内するガイドクランプ（１９）を設け、該ガイドクランプ（１９）は、前記ブームブラケット（２７）の水平面部（２７ｄ）に立設された左右の支持コラム（１９ｆ・１９ｆ）に、ボルト（３２・３２）にて締結固定された底板部（１９ｅ）と、該底板部（１９ｅ）の左右側部から上斜め後方に立設された支持ステー部（１９ｄ・１９ｄ）と、該支持ステー部（１９ｄ・１９ｄ）の上端間に架設固定されたクランプ基板部（１９ｃ）と、該クランプ基板部（１９ｃ）の左右側部より立設されたクランプコラム部（１９ｂ・１９ｂ）と、該クランプコラム部（１９ｂ・１９ｂ）にボルト（３３・３３）にて締結固定されたクランプ上板（１９ａ）とから構成したものである。
請求項３においては、請求項１又は請求項２記載の掘削作業機の油圧配管構造において、前記ブーム（２１）の基端部（２１ａ）には、前記収納空間（３６）からの前記油圧管（１５・・）を、反機体（３）側に抑えつつ前記ブーム（２１）の背面側に案内するガイドカバー（２０）を着脱可能に設け、前記ガイドカバー（２０）は、前記収納空間（３６）の機体側開放部の一部を覆うカバー部材と兼用したものである。
【発明の効果】
【０００８】
本発明は、以上のように構成したので、以下に示す効果を奏する。
請求項１においては、機体のブームブラケットに支軸を横設し、該支軸に、掘削装置のブームの基端部を上下回動可能に取り付け、可撓性の油圧管を前記ブームブラケットの後方から前記ブームの背面側に案内する掘削作業機の油圧配管構造において、前記基端部内にはブーム側に窪んだ凹部を形成し、該凹部と前記支軸との間に収納空間を設け、前記ブームブラケットの後方からの油圧管を、前記支軸の機体側から前記収納空間を経由してブームの背面側に案内すると共に、前記油圧管の途中部を、前記収納空間内で反機体側に湾曲させたので、作業中のブームの上下回動を許容するために油圧管に設ける余裕代としての湾曲部を、予めブーム上昇時に反機体側に形成して前記収納空間に収納しておくことができ、ブーム上昇時に油圧管が機体側に湾曲して機体と干渉するのを確実に防止し、ブームの後方回動角度を大きくとることができ、掘削作業性を向上させることができる。
しかも、油圧管が途中で支軸の反機体側に迂回することがなく、掘削作業機を組立てる際には、先に油圧管の両端をブーム側の連結部と機体側の連結部とに接続しておくことができ、組立手順の制限が緩和されて組立性が著しく向上する。
特に、油圧管の機体側を開放状態にできるため、油圧管を機体側に引っ張り上げたり、収納空間に押し込むだけの簡単作業で、油圧管の交換等を行うことができ、メンテナンス性も大きく向上させることができる。
更に、油圧管をブラケット開口部に挿通させる必要がなく、ブームブラケットの大型化を防ぐことができ、部品コストの減少、及び機体重量バランスやブームブラケット取付け作業性の向上を図ることができる。
特に、ＰＴＯ用の油圧管の配管、油圧管の湾曲部の拡大、あるいは油圧管の径の増加が、ブームブラケットを大型化させることなく可能となる。
請求項２においては、前記ブームブラケットには、該ブームブラケットの後方からの前記油圧管を固定支持して前記支軸の機体側に案内するガイドクランプを設けるので、油圧管の途中部を前記支軸の機体側に簡単な構成で確実に固定させることができ、ブームが激しく上下回動して、前記収納空間内の油圧管にかかる応力が大きく変化しても、該油圧管が機体側に誤って湾曲しないようにすることができる。
請求項３においては、前記ブームの基端部には、前記収納空間からの前記油圧管を、反機体側に抑えつつ前記ブームの背面側に案内するガイドカバーを着脱可能に設けるので、油圧管の途中部を前記収納空間側に簡単な構成で確実に抑えることができ、ブームが激しく上下回動して、前記収納空間からブームの背面側に向かう油圧管にかかる応力が大きく変化しても、該油圧管が機体側に誤って湾曲しないようにすることができる。
また、前記ガイドカバーは、前記収納空間の機体側開放部の一部を覆うカバー部材とするので、掘削作業中に掘削した土塊や泥水等が前記収納空間内に侵入するのを軽減することができ、土塊等が詰まって収納空間が縮小し油圧管の動きが悪化したり、土塊等が当たって油圧管が損傷するのを防止し、異物除去や部品交換の頻度を少なくし、メンテナンス性の向上を図ることができる。
【発明を実施するための最良の形態】
【０００９】
次に、発明の実施の形態を説明する。図１は本発明に係わる掘削作業機の全体構成を示す左側面図、図２は同じく右側面図、図３は油圧配管構造を示すブームブラケット周辺の左側面図、図４は同じく斜視図である。
【００１０】
まず、本発明に係わる掘削作業機１の全体構成について、図１、図２により説明する。該掘削作業機１は、旋回式の作業車であり、クローラ式走行装置２と、該クローラ式走行装置２の上部中央に左右旋回可能に支持される機体３と、該機体３の前部左右中央に装着される掘削装置４とを備えている。そして、前記クローラ式走行装置２には、前後一側に排土装置６が上下回動可能に取り付けられており、該排土装置６により、掘削作業に伴って整地作業も行えるようにしている。
【００１１】
前記機体３においては、旋回台７の後部にエンジン８が搭載され、該エンジン８の後方及び左右両側方は、ボンネット１１で覆われている。そして、前記旋回台７の左側前部から後部にかけては、支持台１２が設けられ、該支持台１２の下方に、前記エンジン８や油圧制御装置５等が配置される一方、該支持台１２の上方には、運転席３１、各種装置の操作具、及びステップ３５等より構成される運転操作部３０が配置され、該運転操作部３０は、キャビン１８によって覆われている。
【００１２】
また、前記掘削装置４には、ブーム２１、アーム２２、及びバケット２３等が備えられ、該ブーム２１、アーム２２、及びバケット２３は、それぞれ、ブーム油圧シリンダ２４、アーム油圧シリンダ２５、及びバケット油圧シリンダ２６によって回転駆動可能に構成されている。
【００１３】
このような構成において、前記運転操作部３０の操作具を操作すると、前記旋回台７、ブーム２１、アーム２２、及びバケット２３等が回動され、掘削装置４による掘削作業や積込作業等が行えるようにしている。
【００１４】
次に、前記掘削装置４の支持・駆動構成について、図１乃至図３により説明する。図１、図２に示すように、前記旋回台７の前端部にはブームブラケット２７が左右回動可能に枢支され、該ブームブラケット２７の上端に突設する左右のブーム支持部２７ａ・２７ａ間に横架された支軸２９を中心に、前記ブーム２１の基端部２１ａが上下回動可能に支持されている。
【００１５】
そして、該ブーム２１の腹面側には前記ブーム油圧シリンダ２４が、ブーム２１の先端寄り背面側には前記アーム油圧シリンダ２５が、アーム２２の背面側にはバケット油圧シリンダ２６が配設され、このうちのブーム油圧シリンダ２４の基端は、前記ブームブラケット２７の先端部より突設するシリンダ支持部２７ｂに回動可能に支持される一方、ブーム油圧シリンダ２４のピストンロッド２４ａの先端は、ブーム２１途中の曲折部の腹面側に突設した第一ブラケット部２１ｂに回動可能に支持されている。
【００１６】
同様にして、前記アーム油圧シリンダ２５の基端は、前記ブーム２１の曲折部の背面側に突設した第二ブラケット部２１ｃに回動可能に支持される一方、アーム油圧シリンダ２５のピストンロッド２５ａの先端は、アーム２２の背面側基端に形成した第一アームブラケット部２２ａに回動可能に支持される。更に、前記バケット油圧シリンダ２６の基端についても、アーム２２の背面に突設した第二アームブラケット部２２ｂに支持される一方、バケット油圧シリンダ２６のピストンロッド２６ａの先端は、バケット２３の屈伸用に設けたバケットリンク２３ａ・２３ａの屈曲軸２３ｂに回動可能に支持されている。こ
れにより、油圧シリンダ２４・２５・２６の各ピストンロッド２４ａ・２５ａ・２６ａを伸縮させ、ブーム２１、アーム２２、及びバケット２３を、それぞれの基端を回動軸と
して上下回動できるようにしている。
【００１７】
また、図２、図３に示すように、ブーム２１を上下可能に支持する前記ブームブラケット２７には、片側にスイングブラケット部２７ｃが突設され、該スイングブラケット部２７ｃに、前記旋回台７内より、平面視傾斜状に前方に突設するスイングシリンダ２８のピストンロッド２８ａの先端が、回動可能に連結されている。これにより、該ピストンロッド２８ａを伸縮させ、旋回台７前端部の前記ブームブラケット２７を左右回動させることにより、掘削装置４全体も左右回動できるようにしている。
【００１８】
次に、前記油圧シリンダ２４・２５・２６等への油圧配管構造について、図１、図３、図４により説明する。前記掘削装置４に配管する可撓性の油圧管としては、前記ブーム油圧シリンダ２４、アーム油圧シリンダ２５、及びバケット油圧シリンダ２６に対する各油圧ホース１４・１５・１６の他、オプションとして前記ブーム２１やアーム２２の側面にＰＴＯ（作業機）用の油圧取出部を設ける場合には、更に該ＰＴＯ用の油圧取出部に対する油圧ホース１７が設けられている。これらの各油圧シリンダ２４・２５・２６、及びＰＴＯは、いずれも複動式であり、それぞれに２個の油圧ポートを設けているため、各油圧ホース１４乃至１７は、それぞれ２本にて構成されている。
【００１９】
これら油圧ホース１４・１４乃至１７・１７は、機体３に設けられた前記油圧制御装置５の油圧バルブより延設された複数の油圧管４０・４０・・・に、接続プラグ３７を介して接続されると共に、該接続プラグ３７からは、ブームブラケット２７の後方の旋回台７の上部まで案内された後、ブームブラケット２７に設けられた本発明に係わるガイドクランプ１９によって固定されている。
【００２０】
該ガイドクランプ１９は、前記ブームブラケット２７の水平面部２７ｄ立設された左右の支持コラム１９ｆ・１９ｆに、ボルト３２・３２にて締結固定された底板部１９ｅと、該底板部１９ｅの左右側部から上斜め後方に立設された支持ステー部１９ｄ・１９ｄと、該支持ステー部１９ｄ・１９ｄの上端間に架設固定されたクランプ基板部１９ｃと、該クランプ基板部１９ｃの左右側部より立設されたクランプコラム部１９ｂ・１９ｂと、該クランプコラム部１９ｂ・１９ｂにボルト３３・３３にて締結固定されたクランプ上板１９ａとから成る。更に、該クランプ上板１９ａの左右略中央には、背面視逆Ｕ字状の押さえ板１９ｇをボルト３４にて着脱可能に設けると共に、前記クランプ上板１９ａの下面とクランプ基板部１９ｃの上面には、油圧ホース１５・１５、１６・１６用の案内溝を形成したクランプゴム１９ｈ・１９ｈが貼設されている。
【００２１】
そして、このようなガイドクランプ１９によって、前記油圧ホース１４・１４乃至１７・１７が上中下の三段位置に案内固定されるように構成されている。つまり、油圧ホース１４・１４乃至１７・１７の機体３側の旋回台７に固定した接続プラグ３７と、ブーム２１下部背面上に固設した接続プラグ３８との間は、ガイドクランプ１９によって固定され、接続プラグ３７とガイドクランプ１９の間の油圧ホース１４・１４乃至１７・１７は、ブームブラケット２７がスイングシリンダ２８の作動により最大左右回動されたときに引っ張り負荷がかからない程度の長さとされ、接続プラグ３８とガイドクランプ１９との間の油圧ホース１４・１４乃至１７・１７は、ブームシリンダ２４の作動によりブーム２１を最大上下回動したときに引っ張り負荷がかからない程度の長さとしている。従って、油圧ホース１４・１４乃至１７・１７は、機体側固定部とブーム２１側固定部の間がガイドクランプ１９により保持固定されるため、ブーム２１およびブームブラケット２７をどのように回動しても、捩じれたり、他の部材に擦れて摩耗したりすることがなく、引っ張り負荷もかからないのである。そして、前記ガイドクランプ１９の上段位置では、前記押さえ板１９ｇとクランプ上板１９ａの間に、前記ＰＴＯ用の油圧ホース１７・１７が挟持固定され、中段位置では、クランプ基板部１９ｃとクランプ上板１９ａとの間に、アーム油圧シリンダ２５への油圧ホース１５・１５とバケット油圧シリンダ２６への油圧ホース１６・１６が挟持固定され、下段位置では、底板部１９ｅの左右側部と、ブームブラケット２７の水平面部２７ｄとの間に、前記ブーム油圧シリンダ２４への油圧ホース１４・１４が挟持固定される。
【００２２】
このうち、下段位置に挟持された油圧ホース１４・１４は、ブームブラケット２７の前記水平面部２７ｄから、左右のブーム支持部２７ａ・２７ａの裾部にかけて延出され、更に、前記シリンダ支持部２７ｂの外側にて湾曲して上方に延出された後、ブーム油圧シリンダ２４の図示せぬ油圧ポートに接続されている。従って、油圧ホース１４・１４においては、ブーム２１の上下回動を許容するために油圧ホース１４・１４に設けた余裕代として、ブーム２１の腹面側に形成された、油圧ホース１４・１４の湾曲部を利用することができ、ブーム上昇時でも、油圧ホース１４・１４が機体側に湾曲することがないようにしている。
【００２３】
また、前記ブーム２１の基端部２１ａには、左右の側板部２１ｄとブーム２１側の上壁部２１ｅから成る凹部２１ｆが形成されると共に、基端部２１ａの下端には、前記支軸２９を内挿したボス部２１ｇが形成されており、該ボス部２１ｇを外嵌した支軸２９と前記凹部２１ｆとの間に、収納空間３６が設けられている。
【００２４】
前記上段位置と中段位置に挟持された油圧ホース１５・１５乃至１７・１７は、前述した背面油圧管に該当するものであり、ボス部２１ｇが外嵌された支軸２９の機体側に当接するように案内された後、ブーム２１側に形成された前記収納空間３６内に挿入され、該収納空間３６において機体側に反転してから、前記上壁部２１ｅに向かって延出される。
【００２５】
これにより、前記ガイドクランプ１９により、油圧ホース１５・１５乃至１７・１７を支軸２９の機体側に容易に案内固定し、その後、挿入した収納空間３６内で機体側に反転させることで、ブーム２１の上下回動のための余裕代を湾曲部として予め形成すると共に、該湾曲部を前記収納空間３６内に納めるようにしている。
【００２６】
更に、該収納空間３６内で前記上壁部２１ｅに向かって延出される油圧ホース１５・１５乃至１７・１７は、一旦ブーム２１の背面側に突出してから、ブーム２１背面上の接続プラグ３８に向かって延出して該接続プラグ３８に接続され、該接続プラグ３８には、複数の油圧管４１・４１・・・を介して、前記アーム油圧シリンダ２５、バケット油圧シリンダ２６、及びＰＴＯ用の油圧取出部に接続されている。
【００２７】
ここで、前記左右の側板部２１ｄ・２１ｄでブーム２１の背面側には、背面視逆Ｕ字状のガイドカバー２０が、複数のボルト３９によって着脱可能に締結固定されており、前記ガイドクランプ１９からの油圧ホース１５・１５乃至１７・１７が、該ガイドカバー２０の後端と、ボス部２１ｇが外嵌された支軸２９との間の隙間から、収納空間３６内に挿入されると共に、該収納空間３６からは、ガイドカバー２０の先端と上壁部２１ｅとの間の隙間から、ブーム２１の背面側に突出するように配置構成されている。
【００２８】
これにより、ブーム２１の上下動により、前記収納空間３６内の油圧ホース１５・１５乃至１７・１７にかかる応力が変化して機体側に湾曲しようとしても、前記ガイドカバー２０が障壁となって、油圧ホース１５・１５乃至１７・１７は、それ以上機体側には湾曲せず、更に、掘削作業中に土塊や雨水等が激しく飛散して前記収納空間３６内に浸入しようとしても、前記ガイドカバー２０が覆いとなって、多量には浸入できない。
【００２９】
加えて、ガイドカバー２０をボルト３９の脱着により取り外すことで、前記収納空間３６の機体側を容易に開放状態にすることができ、該開放状態において、油圧ホース１５・１５乃至１７・１７を機体側に引き出して前記接続プラグ３７・３８から着脱するだけで、組立て作業や交換作業を簡単に行うことができる。更に、ブームブラケット２７の大きさはそのままで、収納空間３６のみを大きくすることにより、この大きな収納空間３６を通って、大径または多数の油圧ホースを、ブームブラケット２７の後方から前記ブーム２１の背面側に案内できるようにしている。
【００３０】
すなわち、機体３のブームブラケット２７に支軸２９を横設し、該支軸２９に、掘削装置４のブーム２１の基端部２１ａを上下回動可能に取り付け、可撓性の油圧管である油圧ホース１５・１５乃至１７・１７を前記ブームブラケット２７の後方から前記ブーム２１の背面側に案内する掘削作業機１の油圧配管構造において、前記基端部２１ａ内にはブーム２１側に窪んだ凹部２１ｆを形成し、該凹部２１ｆと前記支軸２９との間に収納空間３６を設け、前記ブームブラケット２７の後方からの油圧ホース１５・１５乃至１７・１７を、前記支軸２９の機体側から前記収納空間３６を経由してブーム２１の背面側に案内すると共に、前記油圧ホース１５・１５乃至１７・１７の途中部を、前記収納空間３６内で反機体側に湾曲させたので、作業中のブーム２１の上下回動を許容するために油圧ホース１５・１５乃至１７・１７に設ける余裕代としての湾曲部を、予めブーム２１上昇時に反機体側に形成して前記収納空間３６に収納しておくことができ、ブーム２１上昇時に油圧ホース１５・１５乃至１７・１７が機体側に湾曲して機体３と干渉するのを確実に防止し、ブーム２１の後方回動角度を大きくとることができ、掘削作業性を向上させることができる。しかも、油圧ホース１５・１５乃至１７・１７が途中で支軸２９の反機体側に迂回することがなく、掘削作業機１を組立てる際には、先に油圧ホース１５・１５乃至１７・１７の両端を、ブーム２１側の連結部である接続プラグ３８と、機体側の連結部である接続プラグ３７とに接続しておくことができ、組立手順の制限が緩和されて組立性が著しく向上する。特に、油圧ホース１５・１５乃至１７・１７の機体側を開放状態にできるため、油圧ホース１５・１５乃至１７・１７を機体側に引っ張り上げたり、収納空間３６に押し込むだけの簡単作業で、油圧ホース１５・１５乃至１７・１７の交換等を行うことができ、メンテナンス性も大きく向上させることができる。更に、油圧ホース１５・１５乃至１７・１７をブラケット開口部に挿通させる必要がなく、ブームブラケット２７の大型化を防ぐことができ、部品コストの減少、及び機体重量バランスやブームブラケット２７取付け作業性の向上を図ることができる。特に、ＰＴＯ用の油圧管である油圧ホース１７・１７の配管、油圧ホース１５・１５乃至１７・１７の湾曲部の拡大、あるいは油圧ホース１５・１５乃至１７・１７の径の増加が、ブームブラケット２７を大型化させることなく可能となる。
【００３１】
更に、前記ブームブラケット２７には、該ブームブラケット２７の後方からの前記油圧ホース１５・１５乃至１７・１７を固定支持して前記支軸２９の機体側に案内する第一ガイド体であるガイドクランプ１９を設けるので、油圧ホース１５・１５乃至１７・１７の途中部を前記支軸２９の機体側に簡単な構成で確実に固定させることができ、ブーム２１が激しく上下回動して、前記収納空間３６内の油圧ホース１５・１５乃至１７・１７にかかる応力が大きく変化しても、該油圧ホース１５・１５乃至１７・１７が機体側に誤って湾曲しないようにすることができる。
【００３２】
加えて、前記ブーム２１の基端部２１ａには、前記収納空間３６からの前記油圧ホース１５・１５乃至１７・１７を、反機体側に抑えつつ前記ブーム２１の背面側に案内する第二ガイド体であるガイドカバー２０を着脱可能に設けるので、油圧ホース１５・１５乃至１７・１７の途中部を前記収納空間３６側に簡単な構成で確実に抑えることができ、ブーム２１が激しく上下回動して、前記収納空間３６からブーム２１の背面側に向かう油圧ホース１５・１５乃至１７・１７にかかる応力が大きく変化しても、該油圧ホース１５・１５乃至１７・１７が機体側に誤って湾曲しないようにすることができる。
【００３３】
また、前記ガイドカバー２０は、前記収納空間３６の機体側開放部の一部を覆うカバー部材とするので、掘削作業中に掘削した土塊や泥水等が前記収納空間３６内に侵入するのを軽減することができ、土塊等が詰まって収納空間３６が縮小し油圧ホース１５・１５乃至１７・１７の動きが悪化したり、土塊等が当たって油圧ホース１５・１５乃至１７・１７が損傷するのを防止し、土塊等の異物除去や部品交換の頻度を少なくし、メンテナンス性の向上を図ることができる。
【産業上の利用可能性】
【００３４】
本発明は、機体のブームブラケットに支軸を横設し、該支軸に、掘削装置のブームの基端部を上下回動可能に取り付け、可撓性の油圧管を前記ブームブラケットの後方から前記ブームの背面側に案内する、全ての掘削作業機の油圧配管構造に適用することができる。
【図面の簡単な説明】
【００３５】
【図１】本発明に係わる掘削作業機の全体構成を示す左側面図である。
【図２】同じく右側面図である。
【図３】油圧配管構造を示すブームブラケット周辺の左側面図である。
【図４】同じく斜視図である。
【符号の説明】
【００３６】
１  掘削作業機
３  機体
４  掘削装置
１５・１６・１７  油圧管
１９  ガイドクランプ（第一ガイド体）
２０  ガイドカバー（第二ガイド体）
２１  ブーム
２１ａ  基端部
２１ｆ  凹部
２７  ブームブラケット
２９  支軸
３６  収納空間
【図１】
0004922210.tif 000002
【図２】
0004922210.tif 000003
【図３】
0004922210.tif 000004
【図４】
0004922210.tif 000005